【事件の表示】
　特許第６０１３７５３号発明「軒樋曲り継手」の特許異議申立事件について、次のとおり決定する。
【結　論】
　特許第６０１３７５３号の明細書及び特許請求の範囲を訂正請求書に添付された訂正明細書及び特許請求の範囲のとおり、訂正後の請求項〔１−２〕について訂正することを認める。
　特許第６０１３７５３号の請求項１，２に係る特許を維持する。
【理　由】
第１　手続の経緯  
　特許第６０１３７５３号（以下、「本件特許」という。）の請求項１ないし２に係る特許についての出願は、平成２４年３月３０日に特許出願され、平成２８年９月３０日に特許の設定登録がされ、その後、平成２９年４月２５日に特許異議申立人西山智裕（以下「申立人西山」という。）及び特許異議申立人井上登美子（以下「申立人井上」という。）より、請求項１〜２に対して特許異議の申立てがされ、同年７月２４日付けで取消理由が通知され、同年９月２２日に意見書の提出がされ、同年１２月１９日付けで取消理由（決定の予告）が通知され、平成３０年２月１４日に意見書の提出及び訂正請求がされ、同年４月１９日に申立人西山より意見書が提出されたものである（「申立人井上」は、意見書を提出しなかった。）。  
第２　訂正請求について
　１　訂正の内容
　本件訂正請求による訂正の内容は以下の（１）〜（３）のとおりである。（下線は、訂正箇所を示す。）
（１）訂正事項１
　特許請求の範囲の請求項１を
「平面形状が略Ｌ字形の底壁と、この底壁の出隅側及び入隅側の側端から立ち上がる出隅側及び入隅側の側壁と、両端部に形成された軒樋嵌合部と、を備えた平面形状が略Ｌ字形の軒樋曲り継手であって、
　上記曲り継手の入隅部が湾曲壁で形成されているか、又は、上記入隅側の側壁と上記底壁との角部及び上記入隅部の双方が湾曲壁で形成されており、
　この湾曲壁の曲率半径が上記曲り継手の入隅部の下端に近くなるほど漸増して
おり、
　
上記入隅部の湾曲壁の曲率半径が、上記曲り継手の上端から上記底壁と接続する下端まで連続して漸増して
　を特徴とする軒樋曲り継手。」に訂正する。
（２）訂正事項２
　特許明細書の【0009】を
「上記目的を達成するため、本発明に係る軒樋曲り継手は、平面形状が略Ｌ字形の底壁と、この底壁の出隅側及び入隅側の側端から立ち上がる出隅側及び入隅側の側壁と、両端部に形成された軒樋嵌合部と、を備えた平面形状が略Ｌ字形の軒樋曲り継手であって、上記曲り継手の入隅部が湾曲面で形成されているか、又は、上記入隅側の側壁と上記底壁との角部及び上記入隅部の双方が湾曲壁で形成されて
おり、この湾曲壁の曲率半径が上記曲り継手の入隅部の下端に近くなるほど漸増しており、上記入隅部の湾曲壁の曲率半径が、上記曲り継手の上端から上記底壁と接続する下端まで連続して漸増して
（３）訂正事項３　
　特許明細書の【0011】を
「本発明の軒樋曲り継手のように、入隅部が湾曲壁で形成されているか、又は、入隅側の側壁と底壁との角部及び入隅部の双方が湾曲壁で形成され、その曲率半径が入隅部の下端に近くなるほど漸増して
おり、上記入隅部の湾曲壁の曲率半径が、上記曲り継手の上端から上記底壁と接続する下端まで連続して漸増して
　２　訂正の適否
（１）訂正事項１について
　ア　訂正の目的について 
　訂正事項１は、入隅部の湾曲壁の曲率半径が連続して漸増する範囲を、曲り継手の上端から底壁と接続する下端までと限定したものといえるから、特許請求の範囲の減縮を目的とするものである。
　イ　実質上特許請求の範囲を拡張し、又は変更するか否か 
　上記アで説示したように、訂正事項１は入隅部の湾曲壁の曲率半径が連続して漸増する範囲を、曲り継手の上端から底壁と接続する下端までと限定したものであるから、実質上特許請求の範囲を拡張し、又は変更するものではない。
　ウ　願書に添付した明細書、特許請求の範囲又は図面に記載した事項の範囲内の訂正であるか否か 
　明細書の発明の詳細な説明の「曲り継手の入隅部５、・・・を、円弧状に湾曲した曲率半径が徐々に変化する湾曲壁５０，６０で形成している点にある。」（【００１９】）、「・・この軒樋曲り継手１０の入隅部５は、出隅側に向かって円弧状に凸湾曲する湾曲壁５０で形成されており、図１，図３，図４の（ａ）（ｂ）に示すように、この湾曲壁５０の曲率半径Ｒと幅は、曲り継手１０の入隅部５の下端５ａに近くなるほど徐々に大きくなっている。」（【００２０】）及び図１の記載から、訂正事項１は明細書又は図面に記載されているものと認められる。
（２）訂正事項２及び３ついて
　訂正事項２及び３は、発明の詳細な説明の記載を、訂正後の請求項１の記載と整合するものであるから、明瞭でない記載の釈明を目的とするものであって、新規事項の追加に該当せず、実質上特許請求の範囲を拡張、又は変更するものでもない。
　また、訂正前の請求項１〜２は、請求項２が、訂正の請求の対象である請求項１の記載を引用する関係にあるから、訂正前において一群の請求項に該当するものである。したがって、訂正の請求は、一群の請求項ごとにされたものである。
　したがって、上記訂正請求による訂正事項１〜３は、特許法第１２０条の５第２項ただし書第１号及び３号に掲げる目的とするものであり、かつ、同条第９項で準用する同法第１２６条第５項及び第６項までの規定に適合するので、訂正後の請求項１，２について訂正を認める。
第３　本件発明 
　上記訂正請求により訂正された請求項１〜２に係る発明（以下「本件発明１」等という。）は、以下のとおりのものである。（下線は、訂正箇所を示す。）
　本件発明１  
 「【請求項１】
　平面形状が略Ｌ字形の底壁と、この底壁の出隅側及び入隅側の側端から立ち上がる出隅側及び入隅側の側壁と、両端部に形成された軒樋嵌合部と、を備えた平面形状が略Ｌ字形の軒樋曲り継手であって、
　上記曲り継手の入隅部が湾曲壁で形成されているか、又は、上記入隅側の側壁と上記底壁との角部及び上記入隅部の双方が湾曲壁で形成されており、この湾曲壁の曲率半径が上記曲り継手の入隅部の下端に近くなるほど漸増して
おり、
　
上記入隅部の湾曲壁の曲率半径が、上記曲り継手の上端から上記底壁と接続する下端まで連続して漸増して
　を特徴とする軒樋曲り継手。」　 
　本件発明２  
 「【請求項２】
　上記底壁の入隅部から出隅部に向かって山部が形成され、この山部の幅が底壁の入隅部に近くなるほど漸増していることを特徴とする請求項１に記載の軒樋曲り継手。」 
第４　取消理由の概要　
　訂正前の請求項１〜２に係る特許に対して平成２９年１２月１９日付けで特許権者に通知した取消理由（決定の予告）の要旨は、次のとおりである。
　１　請求項１に係る発明について
（１）請求項１に係る発明は、特許出願前に頒布された刊行物１に記載された発明であり、または、刊行物１に記載された発明に基いて、当業者が容易に発明をすることができたものであるので、特許法第１１３条第２号（特許法第２９条第１項第３号または特許法第２９条第２項違反）に該当し、その特許は取り消されるべきものである。
（２）請求項１に係る発明は、特許出願前に頒布された刊行物２に記載された発明であり、または、刊行物２に記載された発明に基いて、当業者が容易に発明をすることができたものであるので、特許法第１１３条第２号（特許法第２９条第１項第３号または特許法第２９条第２項違反）に該当し、その特許は取り消されるべきものである。
（３）請求項１に係る発明は、特許出願前に頒布された刊行物３に記載された発明であり、または、刊行物３に記載された発明に基いて、当業者が容易に発明をすることができたものであるので、特許法第１１３条第２号（特許法第２９条第１項第３号または特許法第２９条第２項違反）に該当し、その特許は取り消されるべきものである。
（４）請求項１に係る発明は、特許出願前に頒布された刊行物５に記載された発明であり、または、刊行物５に記載された発明に基いて、当業者が容易に発明をすることができたものであるので、特許法第１１３条第２号（特許法第２９条第１項第３号または特許法第２９条第２項違反）に該当し、その特許は取り消されるべきものである。
　２　請求項２に係る発明について
（１）請求項２に係る発明は、刊行物１、２、３及び５に記載された発明のいずれかの発明並びに刊行物４に記載された事項に基いて当業者が容易に発明をすることができたものであるので、特許法第１１３条第２号（特許法第２９条第２項違反）に該当し、その特許は取り消されるべきものである。
第５　刊行物について 
　１　刊行物１ 
（１）刊行物１の記載事項　 
　取消理由で通知した、本件特許の出願日前に頒布された刊行物１として提示した特開２０００−２０４７２７号公報には、次の事項が記載されている（下線は当決定で付した。以下同様。）。 
　ア「【０００８】 
【課題を解決するための手段】本発明は、上記目的を達成するためになされたもので、請求項１の発明では、
略Ｌ字の平面形状に形成され、軒樋を嵌合可能な軒樋嵌合部が両端に設けられている継手本体を備え、その継手本体の入隅部が、継手本体の出隅部側に膨らんだ壁で形成されている曲り樋継手
　イ「【００２３】 
【発明の実施の形態】本発明の一実施例を図１〜図４に基づいて、詳述する。図１は曲り樋継手の分解説明図、図２は曲り樋継手の側面図、図３は図１の接続部材のＤ−Ｄ矢視断面図、図４は曲り樋継手吊具で曲り樋継手を吊っている状態を示す説明図、図５は継手本体の入隅部の側壁の外側面に係止部が設けられている状態を示す説明図、図６は間隙保持部材の斜視図である。 
【００２４】図１及び図２において、１は合成樹脂（塩化ビニル樹脂）製の曲り樋継手であり、曲り樋継手１は、屋外側側壁がほぼ中央部で２つに分割され、略Ｌ字の平面形状に形成されている。
この曲り樋継手１は、両端部に軒樋５を嵌合可能な軒樋嵌合部１２が設けられている継手本体１１
【００２５】継手本体１１は、屋外側側壁の下壁部９と屋内側側壁と底面とで垂直方向の断面形状がほぼＵ字形になされている。この下壁部９のコーナー側端部に接続部材３（後述説明）の取付部３１が設けられている。継手本体１１の入隅部１３が出隅部１５側に膨らんだ側壁で形成されている。図２に示すように、継手本体１１の入隅部１３のコーナー部近傍が一段低くなされている。この一段低くなされているところに、曲り樋継手吊具７の腕部が通されるようになされている。 
【００２６】この両端部の軒樋嵌合部１２の端部の屋内側側壁の上端部にそれぞれ押え片１６が内側に向けて設けられている。この両端部の軒樋嵌合部１２の奥部に軒樋係止部１８が設けられている。この両端部の軒樋嵌合部１２の下端部の底部と側壁とのコーナー部は、軒樋５の下端部のコーナー部とほぼ同じ形状になされ、角張っている。このコーナー部の曲率半径は約８ｍｍ（単位要確認）になされている。軒樋５の端部が軒樋嵌合部１２の奥部の軒樋係止部１８に差し込まれ、軒樋５の屋内側耳部（図示省略）を押え片１６で押え付けて、曲り樋継手１に軒樋５が接続されるようになされている。 
【００２７】継手本体１１の入隅部１３の下端部の底部と側壁とのコーナー部は、円弧状になされ、このコーナー部の曲率半径は約２３ｍｍ（単位要確認）になされ、軒樋嵌合部１２の下端コーナー部の曲率半径より大きくなされている。」 
  
　ウ「【００３９】図７において、
１ａは合成樹脂（塩化ビニル樹脂）製の曲り樋継手で、曲り樋継手１ａは、略Ｌ字の平面形状に形成されている。この曲り樋継手１ａは、両端部に軒樋５を嵌合可能な軒樋嵌合部１２ａが設けられている継手本体１１ａ
【００４０】この軒樋嵌合部１２の端部の屋内側側壁と屋外側側壁の上端部に２つの押え片１６ａが相対して内側に向けて設けられている。この軒樋嵌合部１２ａの下端部の底部と側壁とのコーナー部は、軒樋５の下端部のコーナー部とほぼ同じ形状になされ、図８の（イ）に示すように、下端部の底部と側壁とのコーナー部は角張っている。このコーナー部の曲率半径は約８ｍｍ（単位要確認）になされている。軒樋５の端部が軒樋嵌合部１２ａに嵌合され、軒樋５の屋内側耳部と屋外側耳部（図示省略）を２つの押え片１６ａで押え付けて、曲り樋継手１ａに軒樋５が接続されるようになされている。
【００４１】継手本体１１ａの入隅部１３ａの下端部の底部と側壁とのコーナー部は、図８の（ロ）に示すように、円弧状になされ、このコーナー部の曲率半径は約２３ｍｍ（単位要確認）になされ、軒樋嵌合部１２ａの下端コーナー部の曲率半径より大きくなされている。この継手本体１１ａの入隅部１３ａの側壁の内側面には、係止部１４ａが設けられ、この係止部１４ａは２本の小棒１７で形成され、この２本の小棒１７は間隙保持部材２ａ（後述説明）の幅とほぼ同じ間隔を開けて、入隅部１３ａの側壁の内側面に取り付けられている。」 
 　 
　エ　図面について 
（ア）図１は、本発明の一実施例であり、曲り樋継手の分解説明図である。当該図のうち一番下方の平面図からは、入隅部の上端より下端が出隅側に位置している点、継手本体１１の入隅部１３の出隅側に膨らんだ壁の曲がり具合について、入隅部の上端よりも下端の方が緩やかである点が看てとれる。
（イ）図７は、曲り継手を示す斜視図である。当該図からは、曲り樋継手が、略Ｌ形の底壁と、底壁の出隅側及び入り隅側の側端から立上がる出隅側及び入隅側の側壁が看てとれる。 
（ウ）図８の（イ）は、図７のＡ−Ａ矢視断面図であり、図８の（ロ）は、図７のＢ−Ｂ矢視断面図である。図８の（ロ）には、入隅部の壁が、途中の部分から下端に向かって徐々に出隅側へと曲がり底壁と接続する点が看てとれる。 
　
（２）刊行物１に記載の発明の認定について 
　ア　入隅部の出隅部側に膨らんだ壁の構成について 
（ア）曲線と曲率半径について 
　曲線は、局所的にみれば円弧であり、曲線はこのような円弧の連続であると言えるのであるから、曲線はある曲率半径でもって描かれていると言える。また、曲がり具合が緩やかな円弧は、大きな曲率半径で描かれ、曲がり具合が急な円弧は、小さな曲率半径で描かれているといえる。そうすると、全体として曲がり具合が緩やかな曲線は曲率半径が大きいものであるといえ、また全体として曲がり具合が急な曲線は曲率半径が小さいものであるといえる。 
（イ）曲率半径の変化について 
　刊行物１の明細書には、入隅部の湾曲壁の出隅部側に膨らんだ壁の構成が明確には記載されていないが、図８の（ロ）に示される入隅部１３ａの形状が、途中の部分から下端に向かって徐々に出隅側へと曲がり底壁と接続していることから、入隅部の壁の曲がり具合が途中から下端へ向かって徐々に連続的に緩やかに変化する、すなわち、入隅部の壁の曲率半径が、途中の部分から下端側へと漸増するように形成されていると考えるのが合理的である。また、図８の（ロ）の断面位置を示す図７のＢ−Ｂ線の位置及び図７における入隅部の側壁の形状から見て、入隅側の側壁と底壁との角部についても上記入隅部と同様、出隅部側に膨らんだ壁で形成され、その曲率半径が途中から下端側へと漸増するように形成されていると考えるのが合理的である。 
  
　イ　刊行物１発明の認定 
　上記アを踏まえると、刊行物１には、以下のとおりの発明（以下、「刊行物１発明」という。）が記載されていると認められる。 
　「平面形状が略Ｌ字形の底壁と、この底壁の出隅側及び入隅側の側端から立ち上がる出隅側及び入隅側の側壁と、両端部に形成された軒樋嵌合部１２ａ，１２ａと、を備えた平面形状が略Ｌ字形の曲り樋継手であって、 
　上記曲り樋継手の入隅部及び入隅側の側壁と底壁との角部が出隅部側に膨らんだ壁で形成されており、この出隅部側に膨らんだ壁の曲率半径が、入隅部の壁の途中の部分から下端に向かって漸増している曲り樋継手」 
  
　ウ　なお、上記の刊行物１発明で認定した「出隅部側に膨らんだ壁の曲率半径が、入隅部の壁の途中の部分から下端に向かって漸増する」点については、特許権者が平成２９年９月２２日付け意見書の６−７頁で説示した、刊行物１の図７，８から３Ｄ化した図面（図Ｘ１、図Ｘ２及び図Ｘ２’）に示される内容からも把握することができる。 
  
　２　刊行物２ 
（１）刊行物２の記載事項 
　取消理由で通知した、本件特許の出願日前に頒布された刊行物２として提示した意匠登録第１１４００５４号公報には、次の事項が記載されている。
　ア　【意匠に係る物品の説明】には、「・・樋用コーナー連結具である。」と記載されている。 
　イ　図面について 
　【斜視図】、【正面図】及び【右側面図】からは、当該図からは、曲り樋継手が、平面形状が略Ｌ形の底壁と、底壁の出隅側及び入り隅側の側端から立上がる出隅側及び入隅側の側壁が看てとれる。また、入隅部側の側壁には、段部が形成されている点が形成されている点が看てとれる。さらに、図面に記載されたものが樋用コーナー連結具であることから、両端部に嵌合部が形成されている点が看てとれる。 
　また、【斜視図】からは、入隅部が湾曲壁で形成されている点が、また【斜視図】及び【平面図】からは、湾曲壁の段部よりも、湾曲壁の下端の方が、平面視で出隅側に位置して緩やかな曲線となっている点が看てとれる。 
  
（２）刊行物２に記載の発明の認定について 
　ア　湾曲壁の構成について 
（ア）曲線と曲率半径について 
　曲線は、局所的にみれば円弧であり、曲線はこのような円弧の連続であると言えるのであるから、曲線はある曲率半径でもって描かれていると言える。また、曲がり具合が緩やかな円弧は、大きな曲率半径で描かれ、曲がり具合が急な円弧は、小さな曲率半径で描かれているといえる。そうすると、全体として曲がり具合が緩やかな曲線は曲率半径が大きいものであるといえ、また全体として曲がり具合が急な曲線は曲率半径が小さいものであるといえる。 
（イ）曲率半径の変化について 
　刊行物２には、湾曲壁の上端から下端にいたる途中に段部と思われる部位があるものの、湾曲壁の当該段部から下端に至る途中の面には、いずれの図をみても、段状に形成していることを伺わせる記載もみあたらない。そうすると、段部から下端に向かって曲率半径が徐々に変化する、すなわち漸増すると考えるのが合理的である。 
 　 
　イ　刊行物２発明の認定 
　上記アを踏まえると、刊行物２には、以下のとおりの発明（以下、「刊行物２発明」という。）が記載されていると認められる。 
　「平面形状が略Ｌ字形の底壁と、この底壁の出隅側及び入隅側の側端から立ち上がる出隅側及び入隅側の側壁とを備えた平面形状が略Ｌ字形の樋用コーナー連結具であって、 
　底壁と側壁を具備する樋用コーナー連結具において、入隅部が湾曲壁で形成されており、当該湾曲壁には段部が形成されて、湾曲壁の曲率半径が、湾曲壁の段部より下端に向かって漸増する軒樋コーナー連結具」 
　
　３　刊行物３ 
（１）刊行物３の記載事項　 
　取消理由で通知した、本件特許の出願日前に頒布された刊行物３として提示した意匠登録第１３２８３８５号公報には、次の事項が記載されている。
　ア　【意匠に係る物品の説明】には、「・・・・軒樋を直角に接続するための内継ぎ手・・」と記載されている。 
　イ　【斜視図】、【正面図】及び【右側面図】からは、当該図からは、曲り樋継手が、平面形状が略Ｌ形の底壁と、底壁の出隅側及び入り隅側の側端から立上がる出隅側及び入隅側の側壁が看てとれる。また、入隅部側の側壁には、段部が形成されている点が形成されている点が看てとれる。さらに、図面に記載されたものが軒樋を直角に接続するための内継ぎ手であることから、両端部に嵌合部が形成されている点が看てとれる。 
　また、【斜視図】からは、入隅部が湾曲壁で形成されされる点が、また【斜視図】及び【平面図】からは、湾曲壁の段部よりも、湾曲壁の下端の方が、平面視で出隅側に位置して緩やかな曲線となっている点が看てとれる。 
  
（２）刊行物３に記載の発明の認定について 
　ア　湾曲壁の構成について 
（ア）曲線と曲率半径について 
　曲線は、局所的にみれば円弧であり、曲線はこのような円弧の連続であると言えるのであるから、曲線はある曲率半径でもって描かれていると言える。また、曲がり具合が緩やかな円弧は、大きな曲率半径で描かれ、曲がり具合が急な円弧は、小さな曲率半径で描かれているといえる。そうすると、全体として曲がり具合が緩やかな曲線は曲率半径が大きいものであるといえ、また全体として曲がり具合が急な曲線は曲率半径が小さいものであるといえる。 
（イ）曲率半径の変化について 
　刊行物３には、湾曲壁の上端から下端にいたる途中に段部と思われる部位があるものの、湾曲壁の当該段部から下端に至る途中の面には、いずれの図をみても、段状に形成していることを伺わせる記載もみあたらない。そうすると、段部から下端に向かって曲率半径が徐々に変化する、すなわち漸増すると考えるのが合理的である。 
  
　イ　刊行物３発明の認定 
　上記アを踏まえると、刊行物３には、以下のとおりの発明（以下、「刊行物３発明」という。）が記載されていると認められる。 
　「平面形状が略Ｌ字形の底壁と、この底壁の出隅側及び入隅側の側端から立ち上がる出隅側及び入隅側の側壁とを備えた軒樋を直角に接続するための内継ぎ手であって、 
　底壁と側壁を具備する樋用コーナー連結具において、入隅部に湾曲壁が形成されており、当該湾曲壁には段部が形成されて、湾曲壁の曲率半径が、湾曲壁の段部より下端に向かって漸増する軒樋を直角に接続するための内継ぎ手」 
  
　４　刊行物４ 
（１）刊行物４の記載の事項 
　取消理由で通知した、本件特許の出願日前に頒布された刊行物４として提示した実開平７−１９４４９号公報には、次の事項が記載されている。 
　ア「【０００４】 
【課題を解決するための手段】 
　本考案は上記目的を達成するためになされたものであって、断面溝形の長尺体小片が所定の角度に折曲された軒樋曲がり継手において、折曲された部分に断面方向に長い凹凸条が形成され蛇腹状になされているものである。 
　本考案軒樋曲がり継手においては、折曲されている部分に断面方向に長い凹凸条が形成され蛇腹状になされているが、この蛇腹状になされている範囲および形状は適宜でよい。特に、外側または内側の角近傍を要にし反対側に扇状に拡がった凹凸条を形成して蛇腹状にするとよい。 
【０００５】 
　【作用】 
　本考案軒樋の曲がり継手は、断面方向に長い凹凸条が形成され蛇腹状になされているから、この凹凸条とほぼ直角方向である長手方向に対しては伸縮し易い形状になっている。　従って、軒樋の温度差によって軒樋が膨張・収縮を繰り返し、曲がり部分で押し合ったり引き合っても、この蛇腹状になっている部分が伸縮することによりこの膨張・収縮が吸収され、曲がり継手が破損することがない。特に、
曲がり部分に外側の角近傍または内側の角近傍を要にし反対側に扇状に拡がった凹凸条が形成され蛇腹状になっている
【０００６】 ・・・ 
【０００７】 
 　【実施例】 
　次に、本考案の実施例を説明する。 
　図１は本考案軒樋曲がり継手の一実施例を示すもので、軒樋曲がり継手で軒樋を接続している状態を示す説明図である。 
　図２は本考案の他の実施例を示すもので、軒樋曲がり継手で軒樋を接続している状態を示す説明図である。 
【０００８】 
　図１において、１は塩化ビニル樹脂製の断面半円形の長尺体からなる軒樋である。この軒樋１の両側縁には肉太の耳部１１、１１が設けられている。
　２は塩化ビニル樹脂製の軒樋曲がり継手であり、この軒樋曲がり継手２は断面半円形からなる溝形の長尺体小片がほぼ直角に折曲されたものであり、両端部は軒樋１の先端を係止できる接続片２１、２１が設けられている接続部２２と、両側縁には軒樋１の耳部１１を嵌合する耳保持部２３とが設けられている。 
　
３は軒樋曲がり継手２の折曲された部分に設けられた蛇腹状部分
【０００９】 
　次に、この軒樋曲がり継手２で軒樋１、１を接続する方法および作用について説明する。 
　軒樋曲がり継手２の両端部の接続部２２、２２および軒樋１の端部外周面に接着剤を塗布し、両者を当接しながら、軒樋１の先端を接続片２１に係止し、耳部１１を耳保持部２３に嵌合する。 
　この接着剤が固化すると、軒樋１と軒樋間借り継手２とが強固に接着される。 
【００１０】 
　このように軒樋曲がり継手２で軒樋１、１が接続されていると、夏期、接続している両側の軒樋１、１が膨張すると、この軒樋曲がり継手２の角を両側から押し出して、折曲された部分の角度が縮む方向に力が働く。 
　この軒樋曲がり継手２には、
折曲された部分の蛇腹状部分３に外側の角近傍を要にし内側に扇状に拡がった凹凸条が形成されている
【００１１】 
　尚、この要より外側は短いから伸びる量が少なく、従って、この部分の歪みが小さく破損することがない。 
　又、逆に、冬期、両側の軒樋１、１が収縮すると、この逆に、蛇腹状部分３が伸びることにより、
両側の軒樋１、１の収縮を吸収して軒樋曲がり継手２が破損することがない。
　このように、軒樋１の膨張・収縮を蛇腹状部分３が吸収する。その結果、軒樋曲がり継手２は破損することがない。」 
  
　イ　図面について 
　図１からは、以下の点が看てとれる。 
（ア）軒樋曲がり継手２の折曲された部分に蛇腹状部分３が設けられ、当該蛇腹状部分３に、底壁の入隅部から出隅部に向かって凹凸条が形成されている点 
（イ）前記凹凸条が、外側の角近傍を要にし内側に扇状に拡がっており、蛇腹状部分３は、底壁の入隅部に近くなるほどその幅が漸増しているとともに、また凹凸条のうち、最下端の線から上端の稜線そして再度最下端の線に至る立体形状を複数の山状部分として把握した場合において、山状部分の最下端の線同士の間隔すなわち幅が、いずれの山状部分についても底壁の入隅部に近くなるほど漸増している点 
　
（２）刊行物４に記載の技術事項 
　上記（１）で摘記された事項及び図示内容をふまえると、刊行物４には、次の技術事項が記載されているといえる。 
　軒樋の収縮を吸収して軒樋曲り継手の破損を防止をすることを目的として、軒樋曲がり継手２の折曲された部分に蛇腹状部分３が設けられ、当該蛇腹状部分３に、底壁の入隅部から出隅部に向かって凹凸条が形成され、前記凹凸条が、外側の角近傍を要にし内側に扇状に拡がっており、蛇腹状部分３は、底壁の入隅部に近くなるほどその幅が漸増しているとともに、また凹凸条のうち、最下端の線から上端の稜線そして再度最下端の線に至る立体形状を山状部分として把握した場合において、その山状部分の最下端の線同士の間隔すなわち幅が、いずれの山状部分についても底壁の入隅部に近くなるほど漸増している点 
　
　５　刊行物５　　 
（１）刊行物５の記載事項　 
　取消理由で通知した、本件特許の出願日前に頒布された刊行物５として提示して提示した特開２００３−７４１５５号公報には、次の事項が記載されている。
　ア　「【００２６】 
　曲り継手３（３ａ，３ｂ）は、図７に示すように、
溝形状の９０度曲り継手本体３１と、この継手本体３１の両端部に設けられた接続部３２，３２とから構成されている
  
　イ　図面について 
（ア）図７（ａ）は、出隅用の曲り継手を示す平面図である。当該図からは、溝形状の９０度曲り継手本体３１が、平面形状が略Ｌ字形の底壁と、この底壁の出隅側及び入隅側の側壁から立ち上がる前側壁及び後壁とを備えていること、曲り継手の入隅部が湾曲壁で形成されていること、入隅部の上端より下端が出隅側に位置していること、入隅部の上端よりも下端の方が緩やかであることが看てとれる。 
（イ）図７（ｂ）は、出隅用の曲り継手を示す側面図である。当該図における入隅部に相当する部位にある壁の内面が、上方から下方に至るところの途中の部分から下端に向かって徐々に出隅側へと曲がり底壁と接続する点が看てとれ、また、入隅側の側壁と底壁との角部の曲がり具合が、接続部３２に近い側より入隅部の下端の方が緩やかである点が看てとれる。  
（２）刊行物５に記載の発明の認定について 
　ア　湾曲壁の構成について 
（ア）曲線と曲率半径について 
　曲線は、局所的にみれば円弧であり、曲線はこのような円弧の連続であると言えるのであるから、曲線はある曲率半径でもって描かれていると言える。また、曲がり具合が緩やかな円弧は、大きな曲率半径で描かれ、曲がり具合が急な円弧は、小さな曲率半径で描かれているといえる。そうすると、全体として曲がり具合が緩やかな曲線は曲率半径が大きいものであるといえ、また全体として曲がり具合が急な曲線は曲率半径が小さいものであるといえる。 
（イ）曲率半径の変化について 
　刊行物５の明細書には、湾曲壁の構成が明確には記載されていないが、図７（ｂ）に示される湾曲壁が、途中の部分から下端に向かって徐々に出隅側へと曲がり底壁と接続する様子から、曲がり具合が湾曲壁の途中から下端へ向かって徐々に連続的に変化する、すなわち、湾曲壁が曲率半径が、途中の部分から下端側へと漸増するように形成されていると考えるのが合理的である。また、図７（ａ）及び図７（ｂ）の入隅部に相当する部位にある壁の形状から見て、入隅側の側壁と底壁との角部についても上記入隅部と同様、湾曲壁で形成され、その曲率半径が途中から下端側へと漸増するように形成されていると考えるのが合理的である。 
  
　イ　刊行物５発明の認定 
　上記アを踏まえると、刊行物５には、以下のとおりの発明（以下、「刊行物５発明」という。）が記載されていると認められる。 
　「平面形状が略Ｌ字形の底壁と、この底壁の出隅側及び入隅側の側端から立ち上がる出隅側及び入隅側の側壁と、両端部に形成された接続部３２，３２と、を備えた溝形状の９０度曲り継手本体３１であって、 
　上記曲り継手の入隅部及び入隅側の側壁と底壁との角部が湾曲壁で形成されており、この湾曲壁の曲率半径が、湾曲壁の途中の部分から下端に向かって漸増している溝形状の９０度曲り継手本体３１」 
　
　ウ　なお、上記の刊行物５発明で認定した「この湾曲壁の曲率半径が、湾曲壁の途中の部分から下端に向かって漸増する」点については、特許権者が平成２９年９月２２日付け意見書の１２頁で説示した、刊行物５の図７（ａ）及び（ｂ）等から入隅部の様子を３Ｄ化した図面（図Ｘ５、図Ｘ６）に示される内容からも把握することができる。 
　
第６　判断 
　１　本件発明１について 
（１）刊行物１を主引用例とする新規性欠如・進歩性欠如について 
　ア　本件発明１と刊行物１発明との対比 
（ア）本件発明１と刊行物１発明とを対比すると、刊行物１発明の「平面形状が略Ｌ字形の底壁」は、本件発明１の「平面形状が略Ｌ字形の底壁」に相当し、以下同様に「出隅側及び入隅側の側壁」は「出隅側及び入隅側の側壁」に、「軒樋嵌合部１２，１２ａ」は「軒樋嵌合部」に、「略Ｌ字形の曲り樋継手」は「軒樋曲り継手」にそれぞれ相当する。 
（イ）また、刊行物１発明の「曲り樋継手の入隅部及び入隅側の側壁と底壁との角部が出隅部側に膨らんだ壁で形成されており、この出隅部側に膨らんだ壁の曲率半径が、入隅部の壁の途中の部分から下端に向かって漸増している」ことは、本件発明１の「曲り継手の入隅部が湾曲壁で形成されているか、又は、上記入隅側の側壁と上記底壁との角部及び上記入隅部の双方が湾曲壁で形成されており、この湾曲壁の曲率半径が上記曲り継手の入隅部の下端に近くなるほど漸増していること」に相当する。 
　
　そうすると、本件発明１と刊行物１発明とは、少なくとも以下の点で相違する。
＜相違点１＞
　入隅部の湾曲壁の曲率半径が、本件発明１では、「曲り継手の上端から上記底壁と接続する下端まで連続して漸増している」のに対して、刊行物１発明では、入隅部の壁の途中の部分から下端に向かって漸増している点。
  
　イ　判断
　上記のとおり、本件発明１と刊行物１発明とは相違点１があるので、本件発明１は、刊行物１発明と同一ではない。
　また、他の刊行物（刊行物２〜５）をみても、相違点１に係る本件発明１の構成が記載も示唆もされていない。
　取消理由（決定の予告）で言及した樋の水が流れる内面側を連続的に変化させる構造が周知の事項であるとしても、入隅部の湾曲壁の曲率半径が、曲り継手の上端から底壁と接続する下端まで連続して漸増する構成が他の刊行物（刊行物２〜５）のいずれにも記載されていないのであるから、上記周知の事項を考慮しても、相違点１に係る本件発明１の構成に想到することはできない。
　よって、本件発明１は、刊行物１発明、刊行物２〜５に記載された発明または事項、及び周知の事項に基いて、当業者が容易に発明をすることができたものではない。 
 
　ウ　意見書における申立人西山の主張について
　申立人西山は、「特許権者が意見書の６頁で示した、刊行物１の図X2’の矢印Ｐで示した部分の下側の湾曲面を見れば、その湾曲面が、上下に延びている湾曲壁の下端から底壁に向かって、曲率半径が徐々に大きくなっている、すなわち構成要件ｄの湾曲壁に対応する湾曲面の曲率半径が下端まで連続して漸増していることは明らかである。
　このとき、入隅部の湾曲壁の曲率半径が、底壁と接続する下端まで連続して漸増する構成を、曲り継手の上端から始めることに、当業者にとって何ら困難性があるとは認められない。また、そのときに得られると特許権者が主張する効果、例えば、「軒樋曲り継手両端の軒樋嵌合部に圧縮力や引張力が作用したときに、入隅部の湾曲壁が入隅部の下端に近くなるほど優れた応力分散作用を発揮する。」の効果は、刊行物１の「湾曲壁の曲率半径が、湾曲壁の段部より下端に向かって漸増する」構成から当業者が予測できる程度のものに過ぎない。このため、本件発明１は、刊行物１に対し新規性が欠如していないとしても進歩性が欠如している。
　また、特許権者が出願時に明細書において特許文献１として記載した特許第３３７３０３４号公報の図１等には、曲り継手の入隅部に、上端から下端まで湾曲壁が連続して形成された構成が記載されている。これにより、上記特許文献１に記載された構成の湾曲壁に、刊行物１に記載された構成のように下端の底壁に向かって曲率半径が徐々に大きくなっている湾曲面を組み合わせて、入隅部の湾曲壁の曲率半径が、曲り継手の上端から底壁と接続する下端まで連続して漸増している、上記構成要件ｄを含む本件発明１とすることは、当業者によって容易に考え付く事項である。このため、本件発明１は、刊行物１、及び特許文献１からも進歩性が欠如している。」旨、主張する。（意見書３頁下から２行〜４頁２１行）
　申立人西山が主張するように、刊行物１には「湾曲壁に対応する湾曲面の曲率半径が下端まで連続して漸増していること」が記載されていると認められるが、本件発明１の「入隅部の湾曲壁の曲率半径」の「漸増」は、「曲り継手の上端から・・底壁と接続する下端まで連続して」いるものであって、上記アのとおり、本件発明１と刊行物１発明には相違点１があるから、本件発明１は、刊行物１発明と同一ではない。また、刊行物２〜５には相違点１に係る本件発明１の構成が記載も示唆もされていないのであるから上記イのとおり、刊行物１発明、刊行物２〜５に記載された発明または事項、及び周知の事項に基いて、当業者が容易に発明をすることができたものでもない。よって、本件発明１は、刊行物１に対して、新規性及び進歩性はいずれも欠如していない。
　また、特許文献１の図１等をみると、曲り継手の入隅部に、上端から下端まで湾曲壁が連続して形成された構成が記載されているものの、当該湾曲壁は、「入隅部の湾曲壁の曲率半径」が、「曲り継手の上端から・・底壁と接続する下端まで連続して漸増している」ものではないから、仮に特許文献１に記載された当該構成を刊行物１発明に適用したとしても本件発明１とはならない。
　したがって、申立人西山の主張を採用することができない。
　エ　小括 
　したがって、本件発明１は、刊行物１に記載された発明ではなく、また、刊行物１発明、刊行物２〜５に記載された発明または事項、及び周知の事項に基いて、当業者が容易に発明をすることができたものでもない。
　
（２）刊行物２を主引用例とする新規性欠如・進歩性欠如について 
　ア　本件発明１と刊行物２発明との対比 
（ア）本件発明１と刊行物２発明とを対比すると、刊行物２発明の「平面形状が略Ｌ字形の底壁」は、本件発明１の「平面形状が略Ｌ字形の底壁」に相当し、以下同様に「出隅側及び入隅側の側壁」は「出隅側及び入隅側の側壁」に、「嵌合部」は「軒樋嵌合部」に、「略Ｌ字型の樋用コーナー連結具」は「軒樋曲り継手」にそれぞれ相当する。 
（イ）　刊行物２発明の「湾曲壁」は、本件発明１の「湾曲壁」に相当する。また、刊行物２発明の「入隅部が湾曲壁で形成されて」いることが、本件発明１の「入隅部が湾曲壁で形成されている」に相当する。一方、刊行物２発明には、本件発明１の「上記入隅側の側壁と上記底壁との角部及び上記入隅部の双方が湾曲壁で形成されて」に相当する構成はないが、本件発明１の上記箇所は、択一的記載であるため、この点は相違点とはならない。
（ウ）さらに、刊行物２発明の「湾曲壁の曲率半径が、湾曲壁の段部より下端に向かって漸増する」ことは、本件発明１の「この湾曲壁の曲率半径が上記曲り継手の入隅部の下端に近くなるほど漸増していること」に相当する。
　
　そうすると、本件発明１と刊行物２発明とは、少なくとも上記（１）アで説示した＜相違点１＞がある。
  
　イ　判断
　上記アで述べたように、本件発明１と刊行物２発明とは相違点１があるので、本件発明１は、刊行物２発明と同一ではない。
　また、他の刊行物（刊行物１、３〜５）をみても、相違点１に係る本件発明１の構成が記載も示唆もされていないので、上記（１）イで説示したことと同様に相違点１に係る本件発明１の構成に想到することはできない。
　よって、本件発明１は、刊行物２発明、刊行物１、３〜５に記載された発明または事項、及び周知の事項に基いて、当業者が容易に発明をすることができたものではない。 
 
　ウ　意見書における申立人西山の主張について 
　申立人西山は「刊行物２に、上記構成要件ｄ「上記入隅部の湾曲壁の曲率半径が、上記曲り継手の上端から上記底壁と接続する下端まで連続して漸増していること」が記載されていることが認められないとしても、刊行物２には、「湾曲壁の段部の下側で、入隅部の湾曲壁の曲率半径が、底壁と接続する下端まで連続して漸増している」ことは記載されている。
　このとき、入隅部の湾曲壁の曲率半径が、底壁と接続する下端まで連続して漸増する構成を、曲り継手の上端から始めることに、当業者にとって何ら困難性があるとは認められない。また、そのときに得られると特許権者が主張する効果も、刊行物２の「湾曲壁の曲率半径が、湾曲壁の段部より下端に向かって漸増する」構成から当業者が予測できる程度のものに過ぎない。このため、本件発明１は、刊行物２に対し新規性が欠如していないとしても進歩性が欠如している。
　また、刊行物１の場合と同様に、特許文献１（特許第３３７３０３４号公報）の図１等の構成と、刊行物２に記載された構成とを組み合わせることによっても、上記構成要件ｄを含む本件発明１の構成が得られ、かつ、その組み合わせに困難性は認められない。このため、本件発明１は、刊行物２及び特許文献１からも進歩性が欠如している。」旨、主張する。（意見書５頁下から７行−６頁９行）
　しかしながら、上記アのとおり、本件発明１と刊行物２発明には相違点１があるから、本件発明１は、刊行物２発明と同一ではない。また、刊行物１、３〜５には相違点１に係る本件発明１の構成が記載も示唆もされていないのであるから上記イのとおり、刊行物２発明、刊行物１、３〜５に記載された発明または事項、及び周知の事項に基いて、当業者が容易に発明をすることができたものでもない。よって、本件発明１は、刊行物２に対して、新規性及び進歩性はいずれも欠如していない。
　また、刊行物２及び特許文献１に基づく進歩性の欠如の主張については、上記（１）ウで説示したことと同様である。
　よって、申立人西山の主張を採用することができない。
  
　エ　小括 
　したがって、本件発明１は、刊行物２に記載された発明ではなく、また、刊行物２発明、刊行物１、３〜５に記載された発明または事項、及び周知の事項に基いて、当業者が容易に発明をすることができたものでもない。
  
（３）刊行物３を主引用例とする新規性欠如・進歩性欠如について 
　ア　本件発明１と刊行物３発明との対比 
（ア）本件発明１と刊行物３発明とを対比すると、刊行物３発明の「平面形状が略Ｌ字形の底壁」は、本件発明の「平面形状が略Ｌ字形の底壁」に相当し、以下同様に「出隅側及び入り隅側の側壁」は「出隅側及び入り隅側の側壁」に、「嵌合部」は「軒樋嵌合部」に、「軒樋を直角に接続するための内継ぎ手」は「軒樋曲り継手」にそれぞれ相当する。 
（イ）刊行物３発明の「湾曲壁」は、本件発明１の「湾曲壁」に相当する。また、刊行物３発明の「入隅部が湾曲壁で形成されて」いることが、本件発明１の「入隅部が湾曲壁で形成されている」に相当する。一方、刊行物３発明には、本件発明１の「上記入隅側の側壁と上記底壁との角部及び上記入隅部の双方が湾曲壁で形成されて」に相当する構成はないが、本件発明１の上記箇所は、択一的記載であるため、この点は相違点とはならない。
（ウ）さらに、刊行物３発明の「湾曲壁の曲率半径が、湾曲壁の段部より下端に向かって漸増する」ことは、本件発明１の「この湾曲壁の曲率半径が上記曲り継手の入隅部の下端に近くなるほど漸増していること」に相当する。 
　そうすると、本件発明１と刊行物３発明とは、少なくとも上記（１）アで説示した＜相違点１＞がある。
  
　イ　判断
　上記アで述べたように、本件発明１と刊行物３発明とは相違点１があるので、本件発明１は、刊行物３発明と同一ではない。
　また、他の刊行物（刊行物１、２、４及び５）をみても、相違点１に係る本件発明１の構成が記載も示唆もされていないので、上記（１）イで説示したことと同様に相違点１に係る本件発明１の構成に想到することはできない。
　よって、本件発明１は、刊行物３発明、刊行物１、２、４及び５に記載された発明または事項、並びに周知の事項に基いて、当業者が容易に発明をすることができたものではない。 
 
　ウ　意見書における申立人西山の主張について 
　申立人西山は、「刊行物３に、上記構成要件ｄ「上記入隅部の湾曲壁の曲率半径が、上記曲り継手の上端から上記底壁と接続する下端まで連続して漸増していること」が記載されていることが認められないとしても、刊行物３には、平成３０年２月１４日付の意見書９頁の図X3、図X4において特許権者が3D化した図面で自認しているように、入隅部の段部の上側と下側との両方で湾曲壁の曲率半径が下側に向かって漸増する構成が記載されている。例えば、湾曲壁の段部の下側では、入隅部の湾曲壁の曲率半径が、底壁と接続する下端まで連続して漸増している。
　このとき、湾曲壁の曲率半径が、底壁と接続する下端まで連続して漸増する構成を、曲り継手の上端から始めることに何ら困難性があるとは認められない。また、そのときに得られると特許権者が主張する効果も、刊行物３の「湾曲壁の曲率半径が、湾曲壁の段部より下端に向かって漸増する」構成から当業者が予測できる程度のものに過ぎない。このため、本件発明１は、刊行物３に対し新規性が欠如していないとしても進歩性が欠如している。
　また、刊行物１、刊行物２の場合と同様に、特許文献１（特許第３３７３０３４号公報）の図１等の構成と、刊行物３に記載された構成とを組み合わせることによっても、構成要件ｄを含む本件発明１の構成が得られ、かつ、その組み合わせに困難性は認められない。このため、本件発明１は、刊行物３及び特許文献１からも進歩性が欠如している。」旨、主張する。（意見書７頁８−２５行）
　しかしながら、上記アのとおり、本件発明１と刊行物３発明には相違点１があるから、本件発明１は、刊行物３発明と同一ではない。また、刊行物１、２、４及び５には相違点１に係る本件発明１の構成が記載も示唆もされていないのであるから上記イのとおり、刊行物３発明、刊行物１、２、４及び５に記載された発明または事項、並びに周知の事項に基いて、当業者が容易に発明をすることができたものでもない。よって、本件発明１は、刊行物３に対して、新規性及び進歩性はいずれも欠如していない。
　また、刊行物３及び特許文献１に基づく進歩性の欠如の主張については、上記（１）ウで説示したことと同様である。
　よって、申立人西山の主張を採用することができない。
  
　エ　小括 
　したがって、本件発明１は、刊行物３に記載された発明ではなく、また、刊行物３発明、刊行物１、２、４及び５に記載された発明又は事項、並びに周知の事項に基いて、当業者が容易に発明をすることができたものでもない。
　　 
（４）刊行物５を主引用例とする新規性欠如・進歩性欠如について 
　ア　本件発明１と刊行物５発明との対比 
（ア）本件発明１と刊行物５発明とを対比すると、刊行物５発明の「平面形状が略Ｌ字形の底壁」は、本件発明の「平面形状が略Ｌ字形の底壁」に相当し、以下同様に「出隅側及び入隅側の側壁」は「出隅側及び入隅側の側壁」に、「接続部３２，３２」は「軒樋嵌合部」に、「溝形状の９０度曲り継手本体３１」は「軒樋曲り継手」にそれぞれ相当する。
（イ）また、刊行物５発明の「曲り継手の入隅部及び入隅側の側壁と底壁との角部が湾曲壁で形成されており、この湾曲壁の曲率半径が、湾曲壁の途中の部分から下端に向かって漸増している」ことは、本件発明１の「曲り継手の入隅部が湾曲壁で形成されているか、又は、上記入隅側の側壁と上記底壁との角部及び上記入隅部の双方が湾曲壁で形成されており、この湾曲壁の曲率半径が上記曲り継手の入隅部の下端に近くなるほど漸増していること」に相当する。 
　そうすると、本件発明１と刊行物５発明とは、少なくとも、上記（１）アで説示した＜相違点１＞がある。
  
　イ　判断
　上記アで述べたように、本件発明１と刊行物５発明とは相違点１があるので、本件発明１は、刊行物５発明と同一ではない。
　また、他の刊行物（刊行物１〜４）をみても、相違点１に係る本件発明１の構成が記載も示唆もされていないので、上記（１）イで説示したことと同様に相違点１に係る本件発明１の構成に想到することはできない。
　よって、本件発明１は、刊行物５発明、刊行物１〜４に記載された発明または事項、及び周知の事項に基いて、当業者が容易に発明をすることができたものではない。
 
　ウ　意見書における申立人西山の主張について 
　申立人西山は、「刊行物５には、平成３０年２月１４日付の意見書１１頁の図X 5、図Ｘ６において特許権者が3D化した図面で自認しているように、上記構成要件ｄ「入隅部の湾曲壁の曲率半径が、上記曲り継手本体の上端から底壁と接続する下端まで連続して漸増している」構成が記載されている。このとき、刊行物５についての上記の図X 5、図Ｘ６では、湾曲壁の曲率半径が、下端近くで漸増の程度がその上側より急激になっているだけで、曲り継手本体の上端から底壁と接続する下端まで連続して漸増していることに相違はない。
　このため、本件発明１は、刊行物５に対し新規性が欠如している。このとき、本件発明１が刊行物５に対し新規性が欠如していないとしても、湾曲壁の曲率半径が、底壁と接続する下端まで連続して漸増する構成を、曲り継手の上端から始めることに何ら困難性があるとは認められない。また、そのときに得られると特許権者が主張する効果も、刊行物５の「湾曲壁の曲率半径が、湾曲壁の段部より下端に向かって漸増する」構成から当業者が予測できる程度のものに過ぎない。また、刊行物１〜３の場合と同様に、特許文献１（特許第３３７３０３４号公報）の図１等の構成と、刊行物５に記載された構成とを組み合わせることによっても、構成要件ｄを含む本件発明１の構成が得られ、かつ、その組み合わせに困難性は認められない。このため、本件発明１は、刊行物５及び特許文献１からも進歩性が欠如している。」旨、主張する。（意見書８頁下から４行−９頁１４行）
　しかしながら、上記アのとおり、本件発明１と刊行物５発明には相違点１があるから、本件発明１は、刊行物５発明と同一ではない。また、刊行物１〜４には相違点１に係る本件発明１の構成が記載も示唆もされていないのであるから上記イのとおり、刊行物５発明、刊行物１〜４に記載された発明または事項、及び周知の事項に基いて、当業者が容易に発明をすることができたものでもない。よって、本件発明１は、刊行物５に対して、新規性及び進歩性はいずれも欠如していない。
　また、刊行物５及び特許文献１に基づく進歩性の欠如の主張については、上記（１）ウで説示したことと同様である。
　よって、申立人西山の主張を採用することができない。
  
　エ　小括 
　したがって、本件発明１は、刊行物５に記載された発明ではなく、また、刊行物５発明、刊行物１〜４に記載された発明または事項、及び周知の事項に基いて、当業者が容易に発明をすることができたものでもない。
　
（５）まとめ 
　本件発明１は、刊行物１、２、３又は５に記載された発明ではなく、また、刊行物１〜５発明に基いて当業者が容易に発明をすることができたものともいえないから、特許法第２９条第１項第３号又は同条第２項の規定に違反したものではない。 
  
　２　本件発明２について 
　本件発明２は、本件発明１の構成をすべて含み更に減縮した発明であるから、本件発明１についての判断と同様の理由により、本件発明２は、刊行物１〜５発明に基いて当業者が容易に発明をすることができたものといえないから、特許法第２９条第２項の規定に違反したものではない。
 第７　むすび 
　以上のとおりであるから、平成２９年７月２４日付け取消理由通知並びに平成２９年１２月１９日付け取消理由通知（決定の予告）及び特許異議申立書に記載した特許異議申立理由によっては、本件請求項１及び２に係る特許を取り消すことはできない。
　また、他に本件請求項１及び２に係る特許を取り消すべき理由を発見しない。
　よって、結論のとおり決定する。
【異議決定日】
平成３０年６月４日（２０１８．６．４）
【訂正の要旨】
審決（決定）の【理由】欄参照。
（５４）【発明の名称】
軒樋曲り継手
　【技術分野】
　【０００１】
　本発明は、家屋の軒先の出隅部に設置されて軒樋を直角に接続する軒樋曲り継手に関し、更に詳しくは、温度変化に伴う軒樋の伸縮により圧縮力や引張力が繰り返し作用しても亀裂や破壊が生じ難い軒樋曲り継手に関する。
　【背景技術】
　【０００２】
　図８に示すように、従来の一般的な軒樋曲り継手１００は、平面形状が略Ｌ字形の底壁１と、この底壁１の出隅側の側端から立ち上がる出隅側の側壁２と、底壁１の入隅側の側端から立ち上がる入隅側の側壁３と、両端部に形成された軒樋嵌合部４，４とを備えた、平面形状が略Ｌ字形の継手である。かかる軒樋曲り継手１００は家屋の軒先の出隅部に設置され、両端の軒樋嵌合部４，４に双方の軒樋（不図示）の端部が嵌合接着されて直角に接続されるようになっている。
　【０００３】
　しかしながら、上記の軒樋曲り継手１００は、入隅側の側壁３が底壁１の入隅側の側端から略直角に立ち上り、該側壁３が曲り継手１００の入隅部５で水平方向に略９０°屈曲しているため、両端の軒樋嵌合部４，４に嵌合接着された双方の軒樋が温度変化により伸縮を繰り返して圧縮力や引張力が曲り継手１００に作用すると、その応力が曲り継手１００の入隅部５や、入隅側の側壁３と底壁１との角部６に沿って、入隅部５の下端５ａに集中し、曲り継手１００の入隅部５の下端５ａ付近から亀裂や破壊が生じるという問題があった。
　【０００４】
　これに対し、曲り継手の入隅部に、出隅側に膨らんだ円弧状の壁を設け、この円弧状の壁の両側部を、入隅部と軒樋嵌合部とが滑らかに連続するように入隅側に膨らんだ円弧状の壁で形成した曲り継手が知られている（特許文献１）。この曲り継手は、入隅部に設けられた出隅側に膨らむ円弧状の壁と、その両側の入隅側に膨らむ円弧状の壁とで、応力の集中を緩和し、亀裂や破壊の防止を図ったものである。
　【先行技術文献】
　【特許文献】
　【０００５】
　【特許文献１】特許第３３７３０３４号公報
　【発明の概要】
　【発明が解決しようとする課題】
　【０００６】
　図８に示すような従来の軒樋曲り継手１００において、入隅部５の下端５ａへの応力集中を効果的に緩和するためには、この入隅部下端５ａに近くなるほど応力の分散作用が大きくなるような応力緩和手段を設けることが理想的である。けれども、前記特許文献１の曲り継手において応力緩和手段として採用されている前記円弧状の壁は、上端から下端まで曲率半径が一定しているため、上端から下端まで応力分散作用がほぼ一定して発揮されると考えられるものであり、入隅部の下端に近くなるほど応力分散作用が大きくなるものではないので、改良する余地があった。
　【０００７】
　また、前記特許文献１の曲り継手のように、入隅部に形成された円弧状の壁が出隅側に膨らみ、この円弧状の壁の両側部に形成された円弧状の壁が入隅側に膨らんでいると、曲り継手の入隅側の側壁全体が波形に蛇行した形状となるため、曲り継手の内部における水の流れが悪くなり、ゴミや土埃が溜まりやすくなるという問題もあった。
　【０００８】
　本発明は上記事情の下になされたもので、その目的とするところは、応力が最も集中する曲り継手の入隅部の下端に近づくほど応力分散作用が大きくなる、雨水の流れが良好な特定の応力分散手段を設けることにより、曲り継手の入隅部下端への応力集中を効果的に緩和して亀裂や破壊を防止できるようにすると共に、雨水の流れを良くしてゴミや土埃の滞溜も防止できるようにした軒樋曲り継手を提供することにある。
　【課題を解決するための手段】
　【０００９】
　上記目的を達成するため、本発明に係る軒樋曲り継手は、平面形状が略Ｌ字形の底壁と、この底壁の出隅側及び入隅側の側端から立ち上がる出隅側及び入隅側の側壁と、両端部に形成された軒樋嵌合部と、を備えた平面形状が略Ｌ字形の軒樋曲り継手であって、上記曲り継手の入隅部が湾曲面で形成されているか、又は、上記入隅側の側壁と上記底壁との角部及び上記入隅部の双方が湾曲壁で形成されており、この湾曲壁の曲率半径が上記曲り継手の入隅部の下端に近くなるほど漸増して
おり、上記入隅部の湾曲壁の曲率半径が、上記曲り継手の上端から上記底壁と接続する下端まで連続して漸増して
　【００１０】
　本発明の軒樋曲り継手においては、上記底壁の入隅部から出隅部に向かって山部が形成され、この山部の幅が底壁の入隅部に近くなるほど漸増していることが望ましい。
　【発明の効果】
　【００１１】
　本発明の軒樋曲り継手のように、入隅部が湾曲壁で形成されているか、又は、入隅側の側壁と底壁との角部及び入隅部の双方が湾曲壁で形成され、その曲率半径が入隅部の下端に近くなるほど漸増して
おり、上記入隅部の湾曲壁の曲率半径が、上記曲り継手の上端から上記底壁と接続する下端まで連続して漸増して
　【００１２】
　また、軒樋曲り継手の入隅部や、入隅側の側壁と底壁との角部が、上記のような湾曲壁で形成されていると、流水抵抗が減少して軒樋曲り継手の内部における雨水の流れが良くなるため、軒樋曲り継手の内部にゴミや土埃などが溜まるのを防止することができる。そして、曲り継手の入隅部や上記の角部が丸くなって角がとれるため、曲り継手の側壁の外面に降りかかった雨水が入隅部の下端や上記の角部から落滴し難くなる。
　【００１３】
　また、上記底面の入隅部から出隅部に向かって山部が形成され、この山部の幅が底面の入隅部に近くなるほど漸増している軒樋曲り継手は、この山部によって応力が更に分散され、曲り継手の入隅部下端への応力集中が一層緩和されるので、亀裂や破壊をより確実に防止することができる。
　【図面の簡単な説明】
　【００１４】
　【図１】本発明の一実施形態に係る軒樋曲り継手を斜め下方から見た斜視図である。
　【図２】同軒樋曲り継手の平面図である。
　【図３】同軒樋曲り継手の側面図である。
　【図４】（ａ）は図３のＡ−Ａ線に沿った部分断面図、（ｂ）は図３のＢ−Ｂ線に沿った部分断面図である。
　【図５】（ａ）は図２のＣ−Ｃ線に沿った部分断面図、（ｂ）は図２のＤ−Ｄ線に沿った部分断面図である。
　【図６】（ａ）は図２のＥ−Ｅ線に沿った部分断面図、（ｂ）は図２のＦ−Ｆ線に沿った部分断面図である。
　【図７】本発明の他の実施形態に係る軒樋曲り継手の平面図である。
　【図８】従来の軒樋曲り継手を斜め下方から見た斜視図である。
　【発明を実施するための形態】
　【００１５】
　以下、図面を参照して本発明の実施形態を詳述する。
　【００１６】
　図１は本発明の一実施形態に係る軒樋曲り継手を斜め下方から見た斜視図、図２は同軒樋曲り継手の平面図、図３は同軒樋曲り継手の側面図、図４の（ａ）は図３のＡ−Ａ線に沿った部分断面図、図４の（ｂ）は図３のＢ−Ｂ線に沿った部分断面図、図５の（ａ）は図２のＣ−Ｃ線に沿った部分断面図、図５の（ｂ）は図２のＤ−Ｄ線に沿った部分断面図、図６の（ａ）は図２のＥ−Ｅ線に沿った部分断面図、図６の（ｂ）は図２のＦ−Ｆ線に沿った部分断面図である。
　【００１７】
　この実施形態に係る軒樋曲り継手１０は合成樹脂で一体に射出成形したものであって、図１〜図３に示すように、平面形状が略Ｌ字形の底壁１と、底壁１の出隅側の側端から立ち上がる出隅側の側壁２と、底壁１の入隅側の側端から立ち上がる入隅側の側壁３と、これらの底壁１及び側壁２，３の両端部に形成された軒樋嵌合部４，４と、を備えた平面形状が略Ｌ字形の継手である。
　【００１８】
　この軒樋曲り継手１０は家屋の軒先の出隅部に設置され、図２に示すように両端の軒樋嵌合部４，４に双方の軒樋２０，２０の端部が嵌合接着されて直角に接続されるようになっている。両端の軒樋嵌合部４，４は、図１〜図３に示すように、それぞれの軒樋２０の端部を嵌め受ける略Ｕ字形の軒樋受部４ａと、この軒樋受部４ａの内側に形成されて軒樋２０の端部を内側から押える軒樋押え部４ｂと、この軒樋受部４ａの両側上端に形成されて軒樋２０の両側の耳部を押える耳押え部４ｃ，４ｃとを備えたものである。
　【００１９】
　この軒樋曲り継手１０の大きい特徴は、入隅部５の下端５ａへの応力集中を効果的に緩和するために、曲り継手の入隅部５、及び、入隅側の側壁３と底壁１との角部６を、円弧状に湾曲した曲率半径が徐々に変化する湾曲壁５０，６０で形成している点にある。
　【００２０】
　即ち、この軒樋曲り継手１０の入隅部５は、出隅側に向かって円弧状に凸湾曲する湾曲壁５０で形成されており、図１，図３，図４の（ａ）（ｂ）に示すように、この湾曲壁５０の曲率半径Ｒと幅は、曲り継手１０の入隅部５の下端５ａに近くなるほど徐々に大きくなっている。そして、この軒樋曲り継手１０の入隅側の側壁３と底壁１との角部６は、当該継手の外側に向かって円弧状に凸湾曲する湾曲壁６０で形成されており、図１，図２，図５の（ａ）（ｂ）に示すように、この湾曲壁６０の曲率半径Ｒと幅も、曲り継手１０の入隅部５の下端５ａに近くなるほど徐々に大きくなっている。
　【００２１】
　上記のように湾曲壁５０，６０の曲率半径Ｒが軒樋曲り継手１０の入隅部５の下端に近くなるほど漸増していると、これらの湾曲壁５０，６０による応力分散作用は、曲率半径Ｒが大きくなるほど、換言すれば、入隅部５の下端５ａに近づくほど強くなるため、軒樋２０，２０の伸縮によって生じる応力が入隅部５の下端５ａに集中するのを効果的に分散、緩和することができる。従って、軒樋曲り継手１０の入隅部５の下端５ａ付近から亀裂や破壊が生じるのを十分防止することができる。
　【００２２】
　また、軒樋曲り継手１０の入隅部５と角部６の双方が、上記のような湾曲壁５０，６０で形成されていると、流水抵抗が減少して軒樋曲り継手１０の内部における雨水の流れが良くなるため、軒樋曲り継手１０の内部にゴミや土埃などが溜まるのを防止することができる。そして、曲り継手１０の入隅部５や上記の角部６が丸くなって角がとれるため、曲り継手１０の側壁３の外面に降りかかった雨水が入隅部５の下端５ａや角部６から落滴し難くなる。
　【００２３】
　なお、この軒樋曲り継手１０は、入隅部５と角部６の双方を上記の湾曲壁５０，６０で形成しているが、入隅部５のみを上記の湾曲壁５０で形成するようにしてもよく、その場合でも入隅部５の下端５ａへの応力集中が十分緩和されるので、亀裂や破壊を防止することができる。
　【００２４】
　更に、この実施形態の軒樋曲り継手１０は、図１，図２に示すように、底面１の入隅部から出隅部に向かって山部７が形成され、この山部７の幅Ｗと高さは、図６の（ａ）（ｂ）に示すように底面１の入隅部に近くなるほど徐々に大きくなっている。このように底面１の入隅部に近くなるほど幅Ｗと高さが漸増する山部７が底面に形成されていると、この山部７によって応力が更に分散され、曲り継手１０の入隅部下端５ａへの応力集中が一層緩和されるので、亀裂や破壊をより確実に防止することができる。
　【００２５】
　また、この実施形態の軒樋曲り継手１０は、図１、図２に示すように、入隅側の側壁３が軒樋嵌合部４，４の入隅側の側壁４ｄ，４ｄより出隅側へオフセットした状態で形成されている。このように、入隅側の側壁３が出隅側へオフセットした状態で形成されていると、入隅側の側壁３と軒樋嵌合部４の入隅側の側壁４ｄとを連結する段差部分の壁により、軒樋の熱伸縮によって生じる応力が緩和される効果がある。また、図７に示す実施形態の軒樋曲り継手のように、入隅側の側壁３と軒樋嵌合部４の入隅側の側壁４ｄとを斜壁４ｅで連結してもよい。このような斜壁４ｅを設けると、熱伸縮によって生じた応力が斜壁４ｅで分散、緩和される効果があり、しかも、斜壁４ｅによって雨水の流れが良くなり、軒樋曲り継手の内部にゴミや土埃などが溜まるのを防止できる効果もある。更に、これらの実施形態のような軒樋外曲り継手においては、気温の低下に伴う軒樋の収縮により両端の軒樋嵌合部４，４が引っ張られた場合でも、入隅側の側壁３が建物の軒先の出隅部と接触することがないため、接触による割れを防止できる効果もある。
　【００２６】
　なお、図７に示す実施形態に係る軒樋曲り継手の上記以外の構成は、前述した図１〜６の実施形態の軒樋曲り継手の構成と実質的に同じであるので、図７において対応する箇所に対応する符合を付し、重複する説明は省略する。前記山部７は図７には表記していないが、前記山部７を形成しても勿論よい。
　また、図１においては、湾曲壁５０，６０及び山部７の凹凸形状を分かりやすく示すために、便宜的に複数本の凹凸形状表示線Ｌを付記したが、このような凹凸形状表示線Ｌは本発明の軒樋曲り継手においては勿論存在しない。
　【００２７】
　以上の説明から理解できるように、本発明の軒樋曲り継手は、その入隅部、又は、入隅側の側壁と底壁との角部及び入隅部の双方に形成された前記の湾曲壁と、望ましくは底壁に形成される前記の山部によって、応力を効果的に分散し、入隅部の下端への応力集中を緩和して亀裂や破壊を十分防止すると共に、雨水の流れを良くしてゴミや土埃の滞溜も防止することができるといった顕著な効果を奏するものである。
　【符号の説明】
　【００２８】
　１　　底壁
　２　　出隅側の側壁
　３　　入隅側の側壁
　４　　軒樋嵌合部
　５　　入隅部
　５ａ　入隅部の下端
　６　　入隅側の側壁と底壁との角部
　７　　山部
　５０　入隅部に形成された湾曲壁
　６０　入隅側の側壁と底壁との角部に形成された湾曲壁
　１０，１００　軒樋曲り継手
（５７）【特許請求の範囲】
　【請求項１】
　平面形状が略Ｌ字形の底壁と、この底壁の出隅側及び入隅側の側端から立ち上がる出隅側及び入隅側の側壁と、両端部に形成された軒樋嵌合部と、を備えた平面形状が略Ｌ字形の軒樋曲り継手であって、
　上記曲り継手の入隅部が湾曲壁で形成されているか、又は、上記入隅側の側壁と上記底壁との角部及び上記入隅部の双方が湾曲壁で形成されており、この湾曲壁の曲率半径が上記曲り継手の入隅部の下端に近くなるほど漸増して
おり、
　
上記入隅部の湾曲壁の曲率半径が、上記曲り継手の上端から上記底壁と接続する下端まで連続して漸増して
　を特徴とする軒樋曲り継手。
　【請求項２】
　上記底壁の入隅部から出隅部に向かって山部が形成され、この山部の幅が底壁の入隅部に近くなるほど漸増していることを特徴とする請求項１に記載の軒樋曲り継手。